(57)【要約】      （修正有）【課題】作業性よく同軸ケーブルの端部に同軸コネクタを取り付けることができるコネクタ取付用器具を提供すること。【解決手段】同軸ケーブル１０の端部に固定されることにより同軸コネクタを構成するための複数組の要素２０を、各組別に保持するように整列配置された複数の支持部を形成する支持部材と、前記支持部に設けられ、前記要素が自然落下しない程度の保持力で支持する保持部材と、前記要素を同軸ケーブルに固定するため前記複数の支持部同士を強固に固定した状態に保持するフランジとをそなえた同軸ケーブルへのコネクタ取付用マガジン、およびこのマガジンを用いた手持ち治具２００。【選択図】図４
2014220221.tif 000002
【特許請求の範囲】
【請求項１】
同軸ケーブルの端部に固定されることにより同軸コネクタを構成するための複数組の要素を、各組別に保持するように整列配置された複数の支持部を形成する支持部材と、
前記支持部に設けられ、前記要素が自然落下しない程度の保持力で支持する保持部材と、
前記要素を同軸ケーブルに固定するため前記複数の支持部同士を強固に固定した状態に保持するフランジと
をそなえた同軸ケーブルへのコネクタ取付用マガジン。
【請求項２】
請求項１記載のコネクタ取付用マガジンにおいて、
前記支持部材は、前記要素を内部に収容するための複数の空間を有する壁部材であり、
前記保持部材は、前記壁部材の一部を構成するように前記空間の各一端に設けられ、前記要素が自然落下しない程度の保持力で支持する保持爪である、
同軸ケーブルへのコネクタ取付用マガジン。
【請求項３】
請求項２記載のコネクタ取付用マガジンにおいて、
前記壁部材は、前記空間の所定の側部が部分的に除去して形成された、同軸ケーブルへのコネクタ取付用マガジン。
【請求項４】
請求項３記載のコネクタ取付用マガジンにおいて、
前記壁部材および前記保持部材は、前記要素の端部が突出しない程度の高さを有する同軸ケーブルへのコネクタ取付用マガジン。
【請求項５】
請求項２記載のコネクタ取付用マガジンにおいて、
前記要素の前記支持部への挿入時に、前記壁部材とともに前記要素を傾きなく保持するガイド部材をそなえたコネクタ取付用マガジン。
【請求項６】
請求項１記載の同軸ケーブルへのコネクタ取付用マガジンにおいて、
前記複数の空間が平面状に整列配置されたコネクタ取付用マガジン。
【請求項７】
請求項１記載の同軸ケーブルへのコネクタ取付用マガジンにおいて、
前記複数の空間が軸線上に整列配置されたコネクタ取付用マガジン。
【請求項８】
請求項１記載のコネクタ取付用マガジンにおいて、
前記支持部材は、複数の弾性花弁状部材を有し前記要素の内周に当接する内周保持部材であり、
前記内周保持部材は、前記要素を同軸ケーブルに固定するため前記要素の内周を弾性保持するようにした、同軸ケーブルへのコネクタ取付用マガジン。
【請求項９】
請求項１記載のコネクタ取付用マガジンにおいて、
前記支持部が1個であるコネクタ取付用マガジン。
【請求項１０】
同軸ケーブルの端部にコネクタを取り付けるため、コネクタ構成用要素を保持したコネクタ取付用マガジンを保持する作業用端部と、
作業員が前記作業用端部を前記同軸ケーブルに向けて保持する把持部と
をそなえた同軸ケーブルにコネクタを取り付けるための手持ち治具。
【請求項１１】
請求項１０記載の手持ち治具において、
前記作業用端部は、前記コネクタ構成用要素の各端部を一平面上に整列保持するように構成された手持ち治具。
【請求項１２】
請求項１０記載の手持ち治具において、
前記把持部は、本体の一部が開閉式蓋として形成され、この蓋の内部に同軸ケーブルの端部処理を行うための刃物が設けられたことを特徴とする手持ち治具。
【請求項１３】
請求項１０記載の手持ち治具において、
前記把持部は、本体の一部が開閉式蓋として形成され、この蓋の内部に同軸ケーブルの端部処理状態を計測するゲージが設けられたことを特徴とする手持ち治具。
【請求項１４】
請求項１０記載の手持ち治具において、
前記作業用端部は、前記コネクタ構成用要素を軸線上に整列保持するように筒状に構成された手持ち治具。
【発明の詳細な説明】
【技術分野】
【０００１】
本発明は、同軸ケーブルの端部に同軸コネクタを装着するためにコネクタ構成要素を保持するマガジンおよびコネクタ取付用手持ち治具に関する。
【背景技術】
【０００２】
同軸ケーブルは、端部に同軸コネクタを装着して使用する。したがって、同軸ケーブルを用いた機器、設備の接続工事を行うには、多数の同軸ケーブルそれぞれに同軸コネクタを取り付ける必要があり、作業性よく接続作業を行う必要がある。
【０００３】
そのため、従来、同軸コネクタ構成要素の受け治具を用いて同軸ケーブルの端部に同軸コネクタを取り付ける作業を簡易化すること（特許文献１参照）とか、同軸コネクタ構成要素を整列配置しておき、この同軸コネクタ構成要素に同軸ケーブルを順次接続していくこと（特許文献２参照）が提案されている。
【先行技術文献】
【特許文献】
【０００４】
【特許文献１】実用新案登録第３１３０７２１号
【特許文献２】実用新案登録第３１３０７２２号
【発明の開示】
【発明が解決しようとする課題】
【０００５】
しかしながら、上記の方策では必ずしも満足できる作業性が得られず、より生産性の高いコネクタ取付用器具の提供が求められている。
【０００６】
本発明は、上述の点を考慮してなされたもので、作業性よく同軸ケーブルの端部に同軸コネクタを装着することができるコネクタ取付用器具を提供することを目的とする。
【課題を解決するための手段】
【０００７】
上記目的達成のため、本発明では、
同軸ケーブルの端部に固定されることにより同軸コネクタを構成するための複数組の要素を、各組別に保持するように整列配置された複数の支持部を形成する支持部材と、
前記支持部に設けられ、前記要素が自然落下しない程度の保持力で支持する保持部材と、
前記要素を同軸ケーブルに固定するため前記複数の支持部同士を強固に固定した状態に保持するフランジと
をそなえた同軸ケーブルへのコネクタ取付用マガジン、
および
同軸ケーブルの端部にコネクタを取り付けるため、コネクタ構成用要素を保持したコネクタ取付用マガジンを保持する作業用端部と、
作業員が前記作業用端部を前記同軸ケーブルに向けて保持する把持部と
をそなえた同軸ケーブルにコネクタを取り付けるための手持ち治具、
を提供する。
【発明の効果】
【０００８】
本発明は上述のように、同軸コネクタを構成するための要素を複数組整列保持し得るマガジンを構成したため、このマガジンを用いて同軸ケーブルへの同軸コネクタの取付が簡便に能率よく行える。また、上記マガジンを取り扱うための手持ち治具を用いることにより、同軸ケーブルへの同軸コネクタの取付を簡便に能率よく行うことができる。
【図面の簡単な説明】
【０００９】
【図１】同軸ケーブルに同軸コネクタを構成するための要素を取り付ける状況を示す説明図。
【図２】本発明に係るマガジンを用いて、同軸ケーブルの端部に同軸コネクタを構成する要素を取り付けた状態を示す説明図。
【図３】図２に示したマガジンの底面を示す斜視図。
【図４】本発明に係るマガジンおよび手持ち治具の一実施例の構成を示す説明図。
【図５】本発明に係るマガジンの一実施例の詳細構造を示す斜視図。
【図６】本発明に係る手持ち治具の一実施例の詳細構造を示す斜視図。
【図７】本発明に係る手持ち治具の一実施例の詳細構造を示す斜視図。
【図８】本発明に係る手持ち治具の他の実施例を示す斜視図。
【図９】本発明に係るマガジンの他の実施例を示す斜視図。
【図１０】本発明に係るマガジンの更に他の実施例を示す斜視図。
【図１１】図１１に示したマガジンと組み合わせて使用する手持ち治具の詳細構造を示す斜視図。
【図１２】図１１に示した手持ち治具の外観を示す斜視図。
【図１３】図１２に示した手持ち治具の分解説明図。
【図１４】図１４(a)は、本発明に係る手持ち治具の他の実施例の形状を示す外観図、図１４(b)は、更に他の実施例の形状を示す外観図。
【図１５】図１５は、本発明の実施例に用いる保持爪の支持構造を示しており、図１５(a)は外観図、図１５(b)は縦断面図、図１５(c)は頂面図。
【図１６】図１６は、要素２０の内部構造を示す部分縦断面図。
【図１７】図１７は、本発明に係るマガジンの更に他の実施例を示す斜視図。
【図１８】図１８は、図１７に示したマガジンに装着した同軸コネクタの要素を、同軸ケーブルに取り付ける状態を示す斜視図。
【図１９】図１９は、図１７および図１８に示したマガジンの底面を示す斜視図。
【図２０】図２０は、マガジンの底面から見た要素の保持構造を示す斜視図。
【発明を実施するための最良の形態】
【００１０】
以下、添付図面を参照して本発明の実施の形態を説明する。
【実施例１】
【００１１】
図１は、同軸ケーブルに同軸コネクタを装着する状況を示している。同軸ケーブル１０は、同軸コネクタを構成する要素と組み合わせるための処理をしておく。つまり、同軸コネクタの中心導体として利用する芯線１１を突出させ、次いで絶縁体１２を少し剥き出しにして編組１３を被覆１４の上に折り返す。
【００１２】
一方、同軸コネクタを構成する要素は、円筒状部２１の同軸ケーブルに向き合った端部側にかしめリング２２が緩く嵌装され、円筒状部２１の（折り返し二重円筒状に構成されている）もう一つの端部に、コネクタ座（図示せず）に固定する際に使用する６角ナット２３が回転自在に取り付けてある。
【００１３】
そして、同軸コネクタを構成する要素２０における円筒状部２１の中心に向けて同軸ケーブル１０を挿入すると、同軸ケーブル１０を所定長さだけ差し込んだ状態で同軸コネクタを構成する要素２０に同軸ケーブル１０が所定の組み合わせをされた状態となる。そこで、かしめリング２２をペンチなどの工具を用いてかしめることにより、同軸コネクタを構成する要素２０が同軸ケーブル１０の端部に強固に固定された状態となる。
【００１４】
ここで、かしめリング２２は、たとえば接着剤を用いて円筒状部２１に前以て仮止めしておけば、落下が防止できて作業性を向上できる。
【００１５】
図２は、同軸ケーブル１０の端部に同軸コネクタを構成する要素２０を取り付けて同軸ケーブル１０を引き上げる状態を示している。この場合、同軸コネクタを構成する要素２０は、本発明に係るマガジン１００に整列配置されて装填されているものを使用している。
【００１６】
マガジン１００は、１０個の要素２０が装填されており、そのうちの1個が同軸ケーブル１０に取付けられている。そのため、マガジン１００には、要素２０を収容する１０個の空間が、各端部位置が一平面上になるように、５個ずつ２列に整列配置されており、１個ずつ同軸ケーブル１０に取り付けられていく。
【００１７】
各空間は、要素２０を構成する円筒状部２１、かしめリング２２および６角ナット２３を全て収容できるように、断面形状がほぼ６角形の空間を内包するように隔壁１１０で囲まれ、この隔壁１１０の一部をなす位置に、かしめリング２２の端面に係止する掛かり爪１１２が形成されている。
【００１８】
これにより、要素２０は、マガジン１００から自然落下しないように保持された状態にあるが、同軸ケーブル１０に取り付けられると、掛かり爪１１２の軽い係止力よりも同軸ケーブル１０との結合度合が強固であるから、要素２０全体が簡単にマガジン１００から離れる。
【００１９】
図３は、要素２０を装填したマガジン１００の底面を示している。このマガジンは、隔壁１１０、保持壁１１１、掛かり爪１１２が図示下側にあり、要素２０の底面端が当接するようにリング状に内方に突出した、抜け止め用の縁を持つ１０個の穴が形成されている。
【００２０】
図４は、図２，３に示したマガジン１００を用いて、同軸ケーブル１０に同軸コネクタを構成する要素２０を取り付ける際に利用する、手持ち治具２００を示している。
【００２１】
この手持ち治具２００は、マガジン２０を保持する作業用端部２１０と、作業員が手持ち治具２００を保持する把持部２２０とをそなえる。作業用端部２１０は、マガジン１００のフランジ１２０（図３）を差し込むための溝２１１を有し、マガジン１００を同軸ケーブル１０に向き合わせて保持する。マガジン１００を所定位置まで差し込むと、ばね性のロック爪２１２により係止される。
【００２２】
他方、把持部２２０は、作業用端部２１０に連結されており、作業員の手でしっかりと把持されて、作業の間、手持ち治具２００を確実に保持することができる。
【００２３】
この図４では、把持部２２０を、本体２２１と蓋２２２とにより構成し、ヒンジ２３０により把持部蓋２２２の開閉ができるものが示されている。この蓋２２２の内部には、後述する同軸ケーブル１０の端部処理のための道具を組み込むことができる。
【００２４】
図５は、図２，３に示したマガジン１００Ａの詳細構造を示したものである。この図５に示すように、隔壁１１０は横断面がほぼ６角形をなし、内部に６角柱状の空間を有することは先述の通りであり、この空間の図示上端つまり同軸ケーブルの差し込み側端部の近くに、内方に突出する突起を持った掛かり爪１１２が設けられている。この掛かり爪１１２は、例えば１つの空間につき対をなすように複数設けられてもよい。そして、図示のように、１つの掛かり爪１１２が、隣り合う２つの空間の間に共有される形で設けられていてもよい。
【００２５】
図６は、手持ち治具２００の把持部２２０の基端側を、蓋２２２を持ち上げた状態で示したものである。図示のように、本体２２１と蓋２２２との間には、溝２２１１および２つの刃物２２１２が設けられている。
【００２６】
この溝２２１１，２２２１および刃物２２１２（および図示せず）は、同軸ケーブル１０の端部処理をするため、同軸ケーブル１０を位置決めし、絶縁体１２、編組１３（図示せず）および被覆１４を周方向に切断するために用いられる。すなわち、溝２２１１に同軸ケーブル１０の端部を差し込んで蓋２２２を閉め、周方向に回転させれば刃物２２１２により絶縁体１２、編組１３および被覆１４にリング状の切れ目が入る。そこで、同軸ケーブル１０の端部を引っ張れば、切れ目から図示右側の部分が取り除かれる。そして、溝２２１１，２２２１は対をなしているので、同軸ケーブル１０を周方向に９０°程度捻れば、切れ目を全周に入れることができる。
【００２７】
蓋２２２の外壁面にある細い溝２２２２は、刃物２２１２を差し込むためのものである。
【００２８】
図７は、手持ち治具２００の作業用端部２１０に設けたゲージ２１３を利用して同軸ケーブル１０の仕上がり状態を検査する様子を示している。ゲージ２１３は、例えば芯線１１の突出長、絶縁体１３の長さ等を検査し得るように所定長の円弧状に抉った溝として設けておけばよい。溝は、複数種設けてもよい。
【実施例２】
【００２９】
図８は、手持ち治具の他の例２００Ａを示したものである。この治具２００Ａは、全体形状がほぼ矩形のリング状をなし、その一辺は把持用で、それと対向する一辺で同軸コネクタを構成する要素２０が１列に配されたマガジン１００Ａを保持するのに適した形状となっている。
【実施例３】
【００３０】
図９は、マガジンの他の例１００Ｂを示したものである。マガジン１００Ａの全体形状が円環状であり、その側面に要素２０が装填されている。この場合、治具としては、マガジン１００Ａの内、外周を利用した保持方法を採るものがよい。
【実施例４】
【００３１】
図１０は、マガジンの更に他の例１００Ｃを示したものである。このマガジン１００Ｃでは、要素２０を軸線上に並べて保持するように構成されている。したがって、要素２０を収容する空間は、筒状、具体的には１つの長い６角柱状に形成されている。
【実施例５】
【００３２】
図１１ないし図１３は、図１０に示したマガジン１００Ｃに、細長い治具２００Ａを組み合わせた状態を示している。この治具２００Ａは、同軸ケーブル１０に向き合う端部に、要素２０を留めるストッパ２４０がピン２５０を中心にして回動し得るように設けられ、反対端には抑え部材２６０が設けられている。
【００３３】
この治具において、軸線状に配された同軸コネクタを構成する要素２０を軸線に沿って押し出すために、側線に沿って溝２７０が設けられており、この溝２７０には要素１つ分に相当する位置ごとにクリック窪みが設けられ、クリックピン２８０が係止するように構成されている。そして、治具２００Ａでのマガジン１００の出し入れは、ストッパ２４０を開いて行う（図１３参照）。
【実施例６】
【００３４】
図１４(a)は、本発明に係る手持ち治具の他の実施例の形状を示す外観図であり、図１４(b)は、更に他の実施例の形状を示す外観図である。
【００３５】
この実施例は、図１３までの実施例が要素２０の外周を支持しているのと異なり、要素２０の内周を支持する構造、つまり要素２０の内周を内周支持部材３００の外周に当接させる構造となっている。
【００３６】
そのために、内周支持部材３００は、花弁状の４枚の当接片３１０を有し、これら当接片は相互に接近するように、弾性により中心方向に屈曲し得る。
【００３７】
そして、要素２０を差し込むと、当接片が要素２０の内周に密着して弾性力により要素２０を保持する。これにより、図１４(a)の実施例では１個の要素２０を、また図１４(b)の実施例では５個ずつ２列に配列された１０個の要素２０を保持することができる。
【００３８】
ここで、要素２０は、円筒状部２１にかしめリング２２の落下を防止する意味で、例えば接着剤により仮止めしておくと作業性がよい。
【００３９】
内周支持部材３００は、手持ち治具２００Ａの作業用端部２１０の端面に埋め込まれており、要素２０を保持する。
【００４０】
図１５(a)ないし(c)は、図１４(a)に示した手持ち治具の詳細構造を示す外観図、縦断面図および頂面図である。
【００４１】
図１５(a)のＡ−Ａ線に沿う縦断面図である図１５(ｂ)に示すように、内周支持部材３００は、作業用端部２１０の端面に設けられた取付孔に、４個の当接片３１０それぞれのほぼ半ばまで挿入され、残りのほぼ半分が突出している。
【００４２】
すなわち、この実施例６では、実施例１ないし５とは異なり、フランジ１２０が手持ち治具２００，２００Ａと一体化された構成となっており、手持ち治具２００，２００Ａがフランジとしても機能する構成となっている。
【００４３】
そして、当接片３１０は、タッピングねじ３２０によって作業用端部２１０の端面に設けられた取付孔にねじ止めされている。この結果、手持ち治具２００Ａの頂面を見ると、図１５(c)に示すように、手持ち治具の端面の中心にタッピングねじ３２０の頭が見え、その外周に当接片３１０がある。
【００４４】
図１６は、要素２０の部分縦断面図であり、当接片３１０は要素２０の６角ナット２３の内周、つまり通常ねじ切りしてある部分の内周に弾性当接して摺動し嵌装される。したがって、当接片３１０は、上述のように４個でなく、３個で１組、あるいは２個で対をなすように構成してもよい。
【実施例７】
【００４５】
図１７は、本発明に係るマガジンの更に他の実施例（１００Ａ）を示す斜視図であり、手持ち治具２００（図示せず）に装着する前で、かつ要素２０が装填されていない状態を示している。
【００４６】
この図１７のマガジン１００Ａは、図２におけるマガジン１００に対応するもので、図２のマガジン１００との相違点は、保持壁１１１Ａが平板状に形成されていてマガジン１００Ｄの長手方向側部の開放部がより広くなっている点、および保持壁１１１Ａの高さが掛かり爪１１２Ａの高さよりも高くなっている点である。
【００４７】
開放部が広くなっているのは、要素２０を取り付けた後の同軸ケーブル１０（図示せず）を、先端を中心にして基端を倒してから引き抜くための同軸ケーブルの逃げ部として利用するためである。すなわち、先端に要素２０を取り付けた同軸ケーブル１０の基端側を開放部に向かって倒せば、広がった開放部から同軸ケーブル１０が飛び出すと同時に要素２０が掛かり爪１１２Ａから外れており、次いでマガジン１００Ｄから同軸ケーブル１０を引くと、掛かり爪１１２Ａとの係合もなくなっているから何ら抵抗なく引き抜くことができる。この結果、同軸ケーブル１０への要素２０の取付作業がさらに簡単化される。
【００４８】
また、保持壁１１１Ａの高さが掛かり爪１１２Ａよりも高くなっているのは、要素２０の円筒状部２１（図示せず）の端面を保護するためであり、例えば保持壁１１１Ａの頂部位置を円筒状部２１の端面位置に合わせるとよい。これにより、マガジン１００Ｄを複数積み重ねても、要素２０の損傷を防止することができる。
【００４９】
図１８は、予めマガジン１００Ｄに装填してある同軸コネクタの要素２０を同軸ケーブル１０の先端に取り付けた上で、同軸ケーブル１０の先端を中心にしてその基端を斜めに倒した状態を示している。
【００５０】
この図１８から分るように、保持壁１１１Ａ間にある開放部から同軸ケーブル１０とともに斜めになった要素２０が突出している。このとき、要素２０は掛かり爪１１２Ａから外れているから、同軸ケーブル１０を基端側に引けばマガジン１００Ｄから簡単に離れる。
【００５１】
図１９は、図１７および図１８に示したマガジンの底面を示す斜視図である。この図１９は、実施例１についての図３に相当するもので、マガジン１００Ｄの底面構造を示している。図１９に示す構造の図３のものとの相違点は、図３では要素２０の端部を環状に支持する円形穴であるのに対し、図１９では六角ナット２３の端面に当接する当て板１１３と係止片１１４との組み合わせにしている点である。当て板１１３も係止片１１４も、同軸ケーブル１０の芯線１１には当接することなく要素２０の底部端面に当接して、要素２０を支持するように設けられている。
【００５２】
図２０は、マガジンの底面から見た要素の保持構造を示す斜視図であり、図１９とは異なる角度から要素２０を１か所だけ除いた状態を示したものである。
【００５３】
図示上側の右側から２つめの要素収納空間が要素２０を除いてあり、隔壁１１０、当て板１１３、係止片１１４とともにガイド部材１１５が要素２０を保持する。
【００５４】
すなわち、要素２０は紙面の裏側方向からほぼ六角柱状の要素収納空間に挿入されるが、要素２０の先端がフランジ１２０の位置を通り過ぎると、隔壁１１０およびガイド部材１１５により要素２０の側部が保持されて当て板１１３、係止片１１４の位置まで送り込まれる。この際、ガイド部材１１５がその弾性作用により要素２０を軸線に沿って保持し続けるから要素２０は傾くことがない。
【００５５】
一方、要素２０を取り付けた同軸ケーブル１０を倒したとき、ガイド部材１１５は弾性変形するから要素収納空間に逃げができ、同軸ケーブル１０の引き抜きを阻害することはない。
【００５６】
ガイド部材１１５は、弾力のある細長い平板状であり、フランジ１２０の位置からフランジ１２０の面に直立するように、マガジン１００Ｄと一体的樹脂成型により形成される。ガイド部材１１５の数は、図示の場合、隔壁１１０に対向するように対として設けられているが、適宜変更することができる。
【符号の説明】
【００５７】
１０  同軸ケーブル
１１  芯線、１２  絶縁体、１３  編組、１４  被覆、
２０  同軸コネクタを構成する要素
２１  円筒状部、２２  かしめリング、２３  ６角ナット
１００，１００Ａ，１００Ｂ，１００Ｃ，１００Ｄ  マガジン
１１０  隔壁、１１１，１１１Ａ  保持壁、１１２，１１２Ａ  掛かり爪、
１１３  当て板、１１４  係止片、１１５ガイド部材、１２０  フランジ
２００，２００Ａ  手持ち治具
２１０  作業用端部、２１１  溝、２１２  ロック爪、２１３  ゲージ、
２２０  把持部、２２１  把持部本体、２２１１  溝、２２１２  刃物、
２２２  把持部蓋、２２２１  溝、２２２２  細い溝
２３０  ヒンジ、２４０  ストッパ、２５０  ピン、２６０  抑え部材、
２７０  摺動溝、２８０  クリックピン
３００  内周支持部材
３１０  当接片、３２０  タッピングねじ
【図１】
2014220221.tif 000003
【図２】
2014220221.tif 000004
【図３】
2014220221.tif 000005
【図４】
2014220221.tif 000006
【図５】
2014220221.tif 000007
【図６】
2014220221.tif 000008
【図７】
2014220221.tif 000009
【図８】
2014220221.tif 000010
【図９】
2014220221.tif 000011
【図１０】
2014220221.tif 000012
【図１１】
2014220221.tif 000013
【図１２】
2014220221.tif 000014
【図１３】
2014220221.tif 000015
【図１４】
2014220221.tif 000016
【図１５】
2014220221.tif 000017
【図１６】
2014220221.tif 000018
【図１７】
2014220221.tif 000019
【図１８】
2014220221.tif 000020
【図１９】
2014220221.tif 000021
【図２０】
2014220221.tif 000022